(57)【要約】      （修正有）【課題】折り込まれた状態のアングル資材をコイル鋼板の大きさに応じた必要量だけ形成する、簡易なアングル製造機を提供する。【解決手段】アングル製造機1の供給部２は、幅中央方向に向けて切り込みが多数設けられたロール状アングル資材２４を保持している。形成器３は、凹曲面と凸曲面とが正対する折込みローラ３１と、折込みローラ３１から送られるアングル資材２０の送り長さを計測する測長器３２と、折込みローラ３１により送られて来たアングル資材２０を、Ｖ字型の上下切断歯により切断するカッター３３とを有する。【選択図】図３
0003155444.tif 000002
【実用新案登録請求の範囲】
【請求項１】
一側端から幅中央方向に向けて切り込み量が同じである鋭角状の切り込みが多数設けられた平らな帯状のアングル資材をロール状に巻いた状態で保持する供給部と、
凹曲面と凸曲面とが正対する一対のローラであって、前記供給部から、巻き解かれたアングル資材を当該曲面に挟み込み、折込みながら送る折込みローラと、
前記折込みローラから送られるアングル資材の送り長さを計測する測長器と、
Ｖ字型の上下切断歯を供え、前記折込みローラにより送られて来たアングル資材を、切断指示により切断するカッターとを有することを特徴とするアングル製造機。
【請求項２】
基台上をスライド装置によりスライド移動自在に取付けられた形成器は、前記折込みローラと、前記測長器と、前記カッターを具備しており、
一方、前記供給部は、前記基台上に回転自在に支持されたシャフトに、ロール状に巻かれた複数のアングル資材の中心が差し入れられているものであり、
前記供給部のいずれか一つのロール状に巻かれたアングル資材に対向するように前記形成器をスライド移動させて、アングル資材の供給を受けることを特徴とするアングル製造機。
【考案の詳細な説明】
【技術分野】
【０００１】
本考案はコイル鋼板のコーナー端面を包装するアングル資材を製造するアングル製造機に関する。
【背景技術】
【０００２】
コイル鋼板は、その両端面をアングル資材で包装して出荷される。
このようなアングル資材の一例として、コイル鋼板の外周長さに応じて切りそろえられた環帯状のアングル資材が利用される。このアングル資材は、コイル鋼板の上下縁に設置され、周面と天井面とのコーナー部分を保護する。天井面側を覆うアングル資材の部分は、多数のヒダをつけて折り込まれている。コイル鋼板には、その外周長が相異なる多種のものが存在し、コイル鋼板の出荷現場においては、外周長にあわせてアングル資材を準備しておく必要がある。この場合、コイル鋼板の外周面に合わせて予め所定長に切断しておいたアングル資材を、コイル鋼板の出荷現場において在庫として用意しておき、出荷するコイル鋼板の外周長にあわせて適当な長さの多種のアングル資材を在庫から取り出して使用する。
【０００３】
一方、所定長に切り出しながら、縁側部分に折り込み形状をしたアングル資材を作成する装置として、特許文献1に開示されたものがある。この装置は、コイル鋼板の外周に巻き付けられた部分と、コイル鋼板の天井面に折り込み形状を持つ部分とを有する包装資材を作成するものである。この装置では、包装資材を所定長に切断し、包装資材の両側にコイル鋼板のほぼ相当する位置で折り線を入れて、この折り線より外側の縁側部を下方へ折り曲げ、この折り曲げられた縁側部を包装資材がコイル鋼板外周と接触するより少し上流の所定前方位置で１つずつの三角形状の連続に順次送り込み、かつ、この三角形状の重なり合いをヒートシール等の手段で仮止めし、この三角形状の連続を順次懸垂支持されたコイル鋼板の端面へ送り込んでアングル資材を形成し、端面全域を被覆して包装するようにしている。
【０００４】
このような包装装置は大掛かりな装置であり、出荷現場によってはこのような大掛かりな装置を配置することができない場合がある。
【先行技術文献】
【特許文献】
【０００５】
【特許文献１】特許第２５９５３６６号公報
【考案の概要】
【考案が解決しようとする課題】
【０００６】
上記特許文献１の装置は大掛かりなものであって、すべてのコイル鋼板の出荷現場に対応できない。また、その処理工程においても、包装資材を所定長に切断したうえで、折り込み加工を施しており、切断のための包装資材の送り機構と、折り込み加工のための送り機構を備える必要があり、装置の小型化を制限している。特に、折り込みが行われると、包装資材はコイル鋼板の外周の湾曲に倣った湾曲形状を呈し、折り込み後直ちに巻きつけ作業を実施するため、装置の大型化は避けられない。
【０００７】
一方、折り込まれた状態のリング状のアングル資材を在庫として用意しておく場合、出荷現場においては、出荷するコイル鋼板の外周長にあわせて適当な長さの多種のアングル資材を用意しておかなければならず、保管が容易ではない。
【０００８】
本考案は、折り込まれた状態のアングル資材をコイル鋼板の大きさに応じた必要量だけ形成することを、簡易な装置で実現することを課題とする。
【課題を解決するための手段】
【０００９】
この課題を解決するため本考案のアングル製造機は、一側端から幅中央方向に向けて切り込み量が同じである鋭角状の切り込みが多数設けられた平らな帯状のアングル資材をロール状に巻いた状態で保持する供給部と、凹曲面と凸曲面とが正対する一対のローラであって、前記供給部から、巻き解かれたアングル資材を当該曲面に挟み込み、折込みながら送る折込みローラと、前記折込みローラから送られるアングル資材の送り長さを計測する測長器と、Ｖ字型の上下切断歯を供え、前記折込みローラにより送られて来たアングル資材を、切断指示により切断するカッターとを有することを特徴とする。
【図面の簡単な説明】
【００１０】
【図１】アングル製造機装置の斜視図である。
【図２】アングル資材を及びコイル鋼板を示す図である。
【図３】アングル製造機装置の一部断面図である。
【図４】アングル製造機装置の構成要素の拡大図である。
【考案を実施するための形態】
【作用】
【００１１】
本考案のアングル製造機によれば、折り込まれた状態のアングル資材を操作者が望む長さで作成することができるので、コイル鋼板の種類に合わせて、出荷現場において多種のアングル資材を在庫として保持しておく必要がない。保管されたアングル資材は、折り込み前の平らな状態であるので、保管スペースも要さない。
【００１２】
また、折込ローラが、アングル資材の折り込と、カッターへの送り出しを兼ねているので、切断のためのアングル資材の送り機構と、折り込み加工のための送り機構を別々に備える必要がなく、一工程により夫々の作業を行うため装置を小型化できるという効果がある。
【実施例１】
【００１３】
図面を参照して実施例を説明する。
図１は、アングル製造機1を示す斜視図である。アングル製造機1は、コイル鋼板の出荷現場に設置されるものである。
【００１４】
平らな状態のアングル資材２０を保持し供給する供給部2と、折り込まれたアングル資材を製造する形成機３とからなる。供給部３は、巻き取られたロール状態の多数のアングル資材（ロール状アングル資材２５）を通されたシャフト24が、基台４上に回転自在に支持されている。供給部３に対向する位置には、形成機３が設けられており、ロール状アングル資材２５から巻き解かれたアングル資材を処理する。形成機３は、基台４に配置されたスライド装置４１上をスライド移動可能となっており、シャフト24に通されたロール状アングル資材２５の一つと正対可能なようになっている。
【００１５】
図２は、アングル資材２０及びコイル鋼板５０、５１を示す図である。図２Ｂに示すように、本実施例で使用するアングル資材20は、平らな状態のアングル資材であって、一側端から幅中央方向に向かって同じ切込み量の多数の切り欠き２３が並べられている。素材は、ボール紙である。アングル資材２０には、長さ方向に並行に折込線２２が設けられており、各切り欠き２３の頂点が折込線２２の位置に合致している。切り欠き２３は、アングル資材２０を折込線２２位置で折り曲げ、かつ長さ方向湾曲させたときに、切り残し部２４が互いに干渉しないように、鋭角に切り込まれている。アングル資材２０をコイル鋼板５０、５１のコーナーに巻き付けた際に、切り残し部２４はコイル鋼板５０、５１の天井部をカバーし、折込線２２の他方側の部分２１は、外周部をカバーする。
【００１６】
アングル資材２０は、巻き取られてロール状（ロール状アングル資材２５）となっており、図２Ａに示すように、その中心にシャフト２４を挿通することにより、シャフト２４に複数個セットされる。シャフト２４は、基台４（図１）に設けられたホルダー４２に装着される。
【００１７】
コイル鋼板５０、５１は、図２Ｃに示すように、鋼板の厚さ、幅、巻き取り量により多種存在し、アングル資材２０はコイル鋼板５０、５１の周コーナーに巻き付けられ、これを保護している。
【００１８】
図３は、形成機３の一部断面図である。形成機３は、折込ローラ３１と、側長器３２と、カッター３３とを有している。形成機３は、供給部２に対面した受入口３４からアングル資材２０を受け入れ、まず折込ローラ３１により、折込線２２（図２Ｂ）の位置でアングル資材２０を折り込む。折込ローラ２０は、図４Ａに示すように、凹曲面のローラ３１ｂと凸曲面のローラ３１ａとの一対のローラからなり、互いの曲面を正対して合わせられたものであって、図示していない駆動装置によりアングル資材２０の送り動作を行う。
【００１９】
折込ローラ３１により折り込まれたアングル資材２０は、次に測長器３２により送り長さが測定される。測長器３２を通過するアングル資材２０の長さは、表示器３７（図１）に表示される。アングル資材２０は、折込ローラ３１により更に取出口３５の近傍に設けられたカッター３３の上下切断刃の間を通過して取出口３５へと送られる。図４Ｂに示すように、カッター３３は、アングル資材２０の折込線２２に相当する位置にＶ字型の頂点が位置するＶ字型の上下切断刃３３ａ、３３ｂを持っている。折込ローラ３１、カッター３３、側長器32は、制御部３６に接続されており、その動作を制御されている。
【００２０】
次に、アングル製造機装置１の動作を説明する。
操作者は、まず複数のロール状アングル資材25をシャフト24に装着し、基台4のホルダー42に取り付ける。そして、一つのロール状アングル資材25からアングル資材２０を形成機３の受入口34から、折込ローラ３１の凹凸曲面間に挟みこむ。
【００２１】
制御部３６は、折込ローラ３１にアングル資材２０が差し入れられたことを検知すると、折込ローラ３１を回転させてアングル資材２０を取出口３５まで送る。表示器３７に備えられた送出ボタン３８が押されると、制御部３６は折込ローラ３１を動作させて、アングル資材２０を折り込みながら送り出す。計測器３２は、送り出されるアングル資材２０の長さを計測して表示器３７に表示する。操作者は、表示器３７の測長値が所望の値になったら、表示器３７に備えられた停止・切断ボタン３９を押下する。停止・切断ボタン３９が押されると、制御部３６はカッター３３に対して切断指示を与えアングル資材２０を切断する。
【００２２】
取出口３５から取り出されたアングル資材２０は、折り込まれており、かつ切れ込み２３により、長さ方向に容易に湾曲しやすいものとなっている。これを、コイル鋼板５０、５１の上下端に巻き付けて包装を行う。
【００２３】
シャフト２４に装着された１つのロール状アングル資材２５を使い切ると、形成機３をスライド装置４１上でスライド移動させて、次のロール状アングル資材２５に対向させる。以降、同様にアングル資材２０を形成機３にセットして使用する。
【００２４】
このように、本実施例によるアングル製造機装置1は、切れ込み２３を入れたアングル資材２０を利用しているので、どのような外径のコイル鋼板であっても包装可能である。また、アングル資材２０の長さを操作者が望むものとすることができるので、コイル鋼板の種類に合わせて、出荷現場において多種のアングル資材を在庫として保持しておく必要がない。保管されたアングル資材２０は、折り込み前の平らな状態であるので、保管スペースも要さない。
【００２５】
また、折込ローラ３１が、アングル資材２０の折り込と、カッター３３への送り出しを兼ねているので、切断のためのアングル資材の送り機構と、折り込み加工のための送り機構を別々に備える必要がなく、一工程により夫々の作業を行うため装置を小型化できるという効果がある。さらに、切れ込みを入れたアングル資材２０は、操作者の手操作により簡単に湾曲するので、特許文献１のように、コイル鋼板を懸垂支持したうえで巻きつける装置も不要である。従って、包装のために大型の設備を導入できない現場においても、対応可能である。
【００２６】
なお、ロール状アングル資材２５は、資材メーカから購入して、コイル鋼板の出荷現場に保管しておけば、多種のコイル鋼板に対する包装が可能となり、資材メーカ側としても長さの異なるアングル資材を多種品揃えしておく必要がなくなるという効果もある。
【００２７】
なお、上記実施例においては、アングル資材２０は折込線２２を備えたものを示したが、折込線は必ずしも必要は無い。また、実施例においては、アングル資材を測長しながら、所望長さに達したときに停止・切断ボタンを押下しているが、予め所望の長さを設定しておき、当該長さに達したら、制御部が自動的に切断指示を発行してカッターを動作させても良い。
【符号の説明】
【００２８】
１……アングル製造機装置
２……供給部
３……形成器
４……基台
２０……アングル資材
２３……切れ込み
２４……シャフト
３１……折込ローラ
３２……測長器
３３……カッター
３６……制御部
５０，５１……コイル鋼板
【図１】
0003155444.tif 000003
【図２】
0003155444.tif 000004
【図３】
0003155444.tif 000005
【図４】
0003155444.tif 000006
【手続補正書】
【提出日】平成21年9月4日(2009.9.4)
【手続補正１】
【補正対象書類名】実用新案登録請求の範囲
【補正対象項目名】請求項２
【補正方法】変更
【補正の内容】
【請求項２】
基台上をスライド装置によりスライド移動自在に取付けられた形成器は、前記折込みローラと、前記測長器と、前記カッターを具備しており、
一方、前記供給部は、前記基台上に回転自在に支持されたシャフトに、ロール状に巻かれた複数のアングル資材の中心が差し入れられているものであり、
前記供給部のいずれか一つのロール状に巻かれたアングル資材に対向するように前記形成器をスライド移動させて、アングル資材の供給を受けることを特徴とする請求項１記載のアングル製造機。